(57)【要約】【課題】深い興趣を遊技者に与えるようにする。【解決手段】第１ステージ部４５は、落下部４６と移流部４８ａ，４８ｂとを有し、第２ステージ部５５は、流出路４９に連通する流出用流路部５６ａ，５６ｂと、遊技球が第１ステージ部４５に移行する移行部５８ａ，５８ｂとを有する。上下動部材８０ａ，８０ｂは、第２ステージ部５５において移流部４８ａ，４８ｂの下流側に設けられ、流出用流路部５６ａ，５６ｂに対応する第１流下部８１と、移行部５８ａ，５８ｂに対応する第２流下部８２とを有し、第１流下部８１又は第２流下部８２への遊技球の移流を許容する下降位置と、第１流下部８１及び第２流下部８２への遊技球の流入を阻止するとともに第１流下部８１又は第２流下部８２上の遊技球が第２ステージ部５５に流下する上昇位置との間を上下動する。【選択図】図３
2005131060.tif 000002
【特許請求の範囲】
【請求項１】
役物を有する弾球遊技機であって、
前記役物は、第１ステージ部と、第２ステージ部と、上下動部材と、流出路とを有し、
前記第１ステージ部は、左右方向に延び、遊技球が落下して当該役物の外部に流出する落下部と、前記上下動部材に対応する移流部とを有し、
前記流出路は、前記第１ステージ部よりも下側において遊技球が当該役物の外部に流出するものであり、
前記第２ステージ部は、前記第１ステージ部の奥側において前記第１ステージ部よりも高い位置に位置し、前記流出路に連通する流出用流路部と、遊技球が第１ステージ部に移行する移行部とを有し、
前記上下動部材は、前記第２ステージ部において前記移流部の下流側に設けられ、前記流出用流路部に対応する第１流下部と前記移行部に対応する第２流下部とを有し、前記第１流下部又は前記第２流下部への遊技球の移流を許容する下降位置と、前記第１流下部及び前記第２流下部への遊技球の流入を阻止するとともに前記第１流下部又は前記第２流下部上の遊技球が前記第２ステージ部に流下する上昇位置との間を上下動するものである、
弾球遊技機。
【請求項２】
請求項１に記載の弾球遊技機であって、
前記第１流下部は、前記上下動部材の上面において、前記流出用流路部の方に向かうにつれて徐々に下方に向かうように傾斜し、
前記第２流下部は、前記上下動部材の上面において、前記移行部の方に向かうにつれて徐々に下方に向かうように傾斜している、
弾球遊技機。
【発明の詳細な説明】
【技術分野】
【０００１】
本発明は、パチンコ機等の弾球遊技機に関するものである。
【背景技術】
【０００２】
従来より、弾球遊技機のセンター役物には、ステージ部に対して振分け機構を有しているものがある。すなわち、そのタイプのセンター役物では、ステージ部に流入した遊技球が、そのステージ部上を転動した後に、振分け機構によって複数の方面に流出するようにされている。
【０００３】
例えば、特許文献１には、センター役物（弾球遊技機）の幅方向に延びる回転軸線を中心に回転可能に振分け回動板が設けられている。振分け回動板の第１面は案内面とされ、第２面は分散面とされている。
そして、振分け回動板が回転することに伴って、その第１面（案内面）が上側になっている場合には、その案内面上に乗載した遊技球が、所定の方面に流出するように案内される。一方、その第２面（分散面）が上側になっている場合には、その分散面上に乗載した遊技球は、所定の方面に流出するように案内されることはなく、種々の方面に分散して流出する。
【０００４】
しかしながら、特許文献１に記載のセンター役物（弾球遊技機）では、遊技球の流れに２つのパターンしかなく、遊技者に対してあまり深い興趣を与えることができなかった。
【特許文献１】特開平１０−５７５５４公報
【発明の開示】
【発明が解決しようとする課題】
【０００５】
本発明は、役物においてさらに深い興趣を遊技者に与えることができる弾球遊技機を提供することを目的とする。
【課題を解決するための手段】
【０００６】
上記の目的を達成するために、請求項１に係る発明は、役物を有する弾球遊技機であって、前記役物は、第１ステージ部と、第２ステージ部と、上下動部材と、流出路とを有し、前記第１ステージ部は、左右方向に延び、遊技球が落下して当該役物の外部に流出する落下部と、前記上下動部材に対応する移流部とを有し、前記流出路は、前記第１ステージ部よりも下側において遊技球が当該役物の外部に流出するものであり、前記第２ステージ部は、前記第１ステージ部の奥側において前記第１ステージ部よりも高い位置に位置し、前記流出路に連通する流出用流路部と、遊技球が第１ステージ部に移行する移行部とを有し、前記上下動部材は、前記第２ステージ部において前記移流部の下流側に設けられ、前記流出用流路部に対応する第１流下部と前記移行部に対応する第２流下部とを有し、前記第１流下部又は前記第２流下部への遊技球の移流を許容する下降位置と、前記第１流下部及び前記第２流下部への遊技球の流入を阻止するとともに前記第１流下部又は前記第２流下部上の遊技球が前記第２ステージ部に流下する上昇位置との間を上下動するものである、弾球遊技機である。
【０００７】
上記発明の弾球遊技機では、第１ステージ部を転動してその移流部に至った遊技球は、その時点における上下動部材の状態及びその遊技球の勢いによって、次のような種々のパターンで移動する。
【０００８】
遊技球が移流部に至った時点において上下動部材が上昇位置等の移流阻止状態にある場合には、その遊技球は、上下動部材（第１流下部又は第２流下部）に移流することなく、第１ステージ部を転動した後に、落下部から当該役物の外部へ流出する。
また、遊技球が移流部に至った時点において上下動部材が下降位置等の移流許容状態にあっても、その遊技球に第１ステージ部に沿った方向に大きな勢いがある場合には、上述と同様に、その遊技球は、上下動部材に移流することなく、第１ステージ部を転動した後に、落下部から当該役物の外部へ流出する。
以上が第１のパターンである。
【０００９】
遊技球が移流部に至った時点において、上下動部材が下降位置等の移流許容状態にあるとともに、遊技球に第１ステージ部に沿った方向に大きな勢いがない場合には、その遊技球は、移流部から上下動部材に移流する（第２・第３のパターン）。
【００１０】
上述のうち、遊技球が上下動部材の第１流下部に移流した場合は、上下動部材が上昇位置に向かって上昇することによって、その遊技球は、第１流下部から第２ステージ部の流出用流路部に流下し、流出路にまで至り、流出路から当該役物の外部へ流出する。
これが第２のパターンである。
【００１１】
上述のうち、遊技球が上下動部材の第２流下部に移流した場合は、上下動部材が上昇位置に向かって上昇することによって、その遊技球は、第２流下部から第２ステージ部の移行部に流下し、移行部から第１ステージ部に戻る。
これが第３のパターンである。
第３のパターンの場合においては、遊技球は、第１ステージ部に至った後に、上述の第１〜第３のパターンのいずれかのパターンで移動する。
【００１２】
以上のように、上記の発明の弾球遊技機（役物）では、上下動部材の状態及びその遊技球の勢いによって遊技球の流れに大きな多様性があり、遊技者に対して深い興趣を与えることができる。
【００１３】
請求項２に係る発明は、請求項１に係る発明の弾球遊技機であって、前記第１流下部は、前記上下動部材の上面において、前記流出用流路部の方に向かうにつれて徐々に下方に向かうように傾斜し、前記第２流下部は、前記上下動部材の上面において、前記移行部の方に向かうにつれて徐々に下方に向かうように傾斜している、弾球遊技機である。
【００１４】
上記の発明の弾球遊技機では、前述のようにして遊技球が上下動部材の第１流下部／第２流下部に移流した場合は、上下動部材が上昇位置に向かって上昇することによって、その遊技球は、重力に基づいて、第１流下部／第２流下部から第２ステージ部の流出用流路部／移行部に流下する。
このようにして、上記の発明の弾球遊技機では、請求項１に係る発明の作用及び効果がより具体的に得られる。
【発明の効果】
【００１５】
以上のように、本発明の弾球遊技機では、遊技球の流れに大きな多様性が生じ、遊技者に対して深い興趣を与えることができる。
【発明を実施するための最良の形態】
【００１６】
次に、本発明の一実施形態を図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。ハンドル１２は、パチンコ球（遊技球）の発射操作をするものであり、賞球払い出し装置は、各入賞口（後述）にパチンコ球が入賞した場合にパチンコ球を賞球として払い出すものである。
【００１７】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。そして、遊技者がハンドル１２を操作することによって発射されたパチンコ球は、通路を通り、遊技領域へと導かれるのである。
【００１８】
遊技盤１０（遊技領域）には、多数の釘（図示省略）や風車２６が設けられているとともに、複数の普通入賞口２０が設けられている。普通入賞口２０にパチンコ球が入った場合には、例えば６又は１３個のパチンコ球が賞球として賞球払い出し装置から払い出される。
【００１９】
遊技盤１０のほぼ中央にはセンター役物３０が設けられている。センター役物３０の下方には始動入賞口２２が設けられ、その下方には大入賞口２４が設けられている。
【００２０】
センター役物３０には、表示部３２が設けられている。表示部３２は液晶等によって構成され、種々の図柄が表示される。
すなわち、始動入賞口２２にパチンコ球が入る（これを入賞という）と、表示部３２における図柄が所定の時間変動表示され、その後、最終的な図柄が静止表示される。静止表示された図柄には「当たり」と「はずれ」があり、「当たり」の場合（例えば「７７７」）には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物３０が遊技者に与える特別な利益ということとする。
【００２１】
図２及び図３に示すように、センター役物３０は、基枠部材４０，奥側部材５０，裏板７０がビスによって結合されて形成されている。
【００２２】
基枠部材４０は、ほぼ四角形状の開口部（符号省略）を有している。開口部の周囲には、フランジ部４２が形成されている。
奥側部材５０は、基枠部材４０の裏側（奥側）に対して取り付けられている。裏板７０は、奥側部材５０の裏側に対して取り付けられている。
裏板７０は透明の材質によって形成されており、その裏側には表示部３２（図１に基づいて前述。図２以降においては図示省略）が設けられている。
【００２３】
図２及び図３に示すように、センター役物３０のうちの下部には、ステージ部３５として、第１ステージ部４５及び第２ステージ部５５が形成されている。
第１ステージ部４５は基枠部材４０に形成され、手前側に位置している。第２ステージ部５５は奥側部材５０に形成され、第１ステージ部４５の奥側に位置している。
【００２４】
第１ステージ部４５は、全般的に、左右の各端部から中央部に向かうにつれて徐々に若干下方に向かうように傾斜している。
第１ステージ部４５の中央部には、落下部４６が形成されている。落下部４６は、凹状とされ、奥側から手前側に向かうにつれて徐々に若干下方に向かうように傾斜している。
第１ステージ部４５のうちの落下部４６以外の部分における手前側の縁部には、落下防止部４７が形成されている。落下防止部４７は、フランジ部４２の一部であり、第１ステージ部４５（その底面）よりも若干上方に突出している。落下防止部４７によって、第１ステージ部４５上のパチンコ球が手前側（センター役物３０の外側）に落下することが防止される。
【００２５】
第１ステージ部４５には、左右一対の移流部４８ａ，４８ｂが形成されている。移流部４８ａ，４８ｂは、凹状とされ、手前側から奥側に向かうにつれて徐々に若干下方に向かうように傾斜している。
第１ステージ部４５（移流部４８ａ，４８ｂを除く）の奥側においては、奥側部材５０の前板部５２によって、第１ステージ部４５上のパチンコ球の奥側の限界位置が規定されている。
【００２６】
第２ステージ部５５（その底面）は、第１ステージ部４５（その底面）よりも上方に位置している。
第２ステージ部５５の中央部には、流出用落下部５３が形成されている（図４も参照）。
【００２７】
図２及び図３に示すように、第２ステージ部５５には、左右一対の移流部４８ａ，４８ｂに対応して、左右一対の上下動部材収容部６０ａ，６０ｂが形成されており、各上下動部材収容部６０ａ，６０ｂに各上下動部材８０ａ，８０ｂが配設されている。
各上下動部材収容部６０ａ，６０ｂは、第２ステージ部５５を分断するようにして設けられ、相対向する鉛直面状のガイド面６１，６２を有する。両ガイド面６１，６２のうち、ガイド面６１が第２ステージ部５５の中央側に位置し、ガイド面６２が第２ステージ部５５の左右の各端部の側に位置する。
【００２８】
各上下動部材８０ａ，８０ｂは、モータ８５及び図示しない機構によって、下降位置（図３（Ａ））と上昇位置（図３（Ｂ））との間を上下動する。その際、両ガイド面６１，６２によって、各上下動部材８０ａ，８０ｂの鉛直方向の移動（摺動）がガイドされる。
両上下動部材８０ａ，８０ｂは相互に関連して上下動してもよいし、各々独立的に上下動してもよい。本実施形態では、両上下動部材８０ａ，８０ｂが同時に上昇及び下降するようにされている。
上下動部材８０ａ，８０ｂについては、後に詳述する。
【００２９】
図２及び図３に示すように、第２ステージ部５５の左右の各端部と各上下動部材収容部６０ａ，６０ｂとの間の部分には、移行部５８ａ，５８ｂが形成されている。移行部５８ａ，５８ｂは、凹状とされ、奥側から手前側に向かうにつれて徐々に若干下方に向かうように傾斜している。
【００３０】
第２ステージ部５５のうちの各上下動部材収容部６０ａ，６０ｂと流出用落下部５３との間の部分は、流出用流路部５６ａ，５６ｂとされており、各流出用流路部５６ａ，５６ｂ（その底面）は、流出用落下部５３に向かうにつれて徐々に若干下方に向かうように傾斜している。
また、流出用流路部５６ａ，５６ｂの手前側の縁部に、落下防止部５７ａ，５７ｂが形成されている。落下防止部５７ａ，５７ｂは、前板部５２の一部であり、流出用流路部５６ａ，５６ｂ（その底面）よりも上方に突出している。落下防止部５７ａ，５７ｂによって、流出用流路部５６ａ，５６ｂ上のパチンコ球が手前側（第１ステージ部４５）に落下することが防止される。
第２ステージ部５５の奥側においては、裏板７０によって、第２ステージ部５５上のパチンコ球の奥側の限界位置が規定されている。
【００３１】
図２〜図４に示すように、基枠部材４０のうちの第１ステージ部４５よりも下側には、流出路４９が形成されている。流出路４９は、フランジ部４２において開口するとともに、基枠部材４０をその奥行方向に貫通し、流出用落下部５３と連通している。
【００３２】
図１に示すように、センター役物３０の左側（基枠部材４０のフランジ部４２のうちの左側の部分）の中途高さ位置には、流入口部材３３が取り付けられている。
それに対応して、図２及び図３に示すように、センター役物３０の左側には、流下部３４が形成され、その下流側に第１ステージ部４５（前述）が位置している。
【００３３】
次に、図２，図３，図５，図６に基づいて、各上下動部材８０ａ，８０ｂについて詳述する。
上下動部材８０ａ（８０ｂ）は、ほぼ四角柱状をなしている。そして、その上面には、第１流下部８１及び第２流下部８２が形成されている。
第１流下部８１は、上下動部材８０ａ（８０ｂ）の上面のうちの第２ステージ部５５の中央部の側の部分（流出用落下部５３の側の部分）に形成され、当該中央部の方に向かうにつれて下方に向かうように傾斜している（図５（Ｂ）参照）。
第２流下部８２は、上下動部材８０ａ（８０ｂ）の上面のうち、第２ステージ部５５の左右の端部の側の部分（移行部５８ａ（５８ｂ）の側の部分）に形成され、当該左右の端部の方に向かうにつれて下方に向かうように傾斜している（図６（Ｂ）参照）。
【００３４】
第２流下部８２の大きさ（間口）は、第１流下部８１の大きさ（間口）よりも大きく（幅広に）形成されている。
第２流下部８２の手前側の縁部には、落下防止部８３が形成されている。落下防止部８３は、第２流下部８２上の遊技球が手前側に落下することを防止するためのものである。
【００３５】
各上下動部材８０ａ，８０ｂは下降位置（図３（Ａ））と上昇位置（図３（Ｂ））との間を上下動するのであるが（このことは前述）、図３（Ａ）に示すように、上下動部材８０ａ，８０ｂが下降位置又はその近傍にある状態では、第１流下部８１（その底面），第２流下部８２（その底面），落下防止部８３（その上端）は、移流部４８ａ，４８ｂ（その底面）とほぼ同一の高さの位置又はそれよりも低い位置にあり、移流部４８ａ，４８ｂに位置するパチンコ球は、第１流下部８１又は第２流下部８２に移流可能である。その状態を移流許容状態ということとする。
【００３６】
また、図３（Ｂ）に示すように、上下動部材８０ａ，８０ｂが上昇位置にある等、上述以外の位置にある状態では、第１流下部８１（その底面），第２流下部８２（その底面），落下防止部８３（その上端）は移流部４８ａ，４８ｂ（その底面）よりも十分高い位置にあり、移流部４８ａ，４８ｂに位置するパチンコ球は、第１流下部８１及び第２流下部８２に移流することができない。その状態を移流阻止状態ということとする。
【００３７】
次に、このパチンコ機の作用及び効果について、図７Ａ〜図９Ｃに基づいて説明する。
遊技盤１０（図１参照）上を転動した後に流入口部材３３に流入したパチンコ球Ｂ（遊技球）は、図７Ａ，図８Ａ，図９Ａに示すように、流下部３４を流下（落下）し、第１ステージ部４５（その左端部）に到達する。そして、そのパチンコ球Ｂは、それまでの勢い等に基づいて、第１ステージ部４５を右方向に転動し、移流部４８ａに至る。
【００３８】
そして、図７Ａ→図７Ｂに示すように、パチンコ球Ｂが移流部４８ａに位置する時点で上下動部材８０ａが移流阻止状態にある場合には、パチンコ球Ｂは移流部４８ａから奥側に移流することが阻止され、さらに右方向に転動し、落下部４６から流出する。
なお、パチンコ球Ｂが移流部４８ａに位置する時点で上下動部材８０ａが移流許容状態にある場合においても、パチンコ球Ｂに右方向への大きな勢いがある場合には、そのパチンコ球Ｂは移流部４８ａを通過して落下部４６から流出する。また、落下部４６を右方向に通過した後に左方向に戻って、落下部４６から流出する場合もあり得る。
以上が第１のパターンである。
【００３９】
図８Ａ，図９Ａに示すように、パチンコ球Ｂが左側の移流部４８ａに位置する時点で左側の上下動部材８０ａが移流許容状態にある場合であってパチンコ球Ｂにそれほどの勢いがない場合（第２のパターン・第３のパターン）には、パチンコ球Ｂは、左側の移流部４８ａから左側の上下動部材８０ａ（その上面）に移流する。その場合について以下に詳述する。
なお、パチンコ球Ｂが左側の移流部４８ａに位置する時点で左側の上下動部材８０ａが移流阻止状態に位置していたりパチンコ球Ｂに右方向に大きな勢いがあって、そのパチンコ球Ｂが左側の移流部４８ａを通過した後に右側の移流部４８ｂから右側の上下動部材８０ｂ（移流許容状態に位置する場合）に移流する場合もあり、それらの場合も同様である。
【００４０】
図８Ａ→図８Ｂ，図５に示すように、移流許容状態にある上下動部材８０ａにパチンコ球Ｂが移流した場合のうち、パチンコ球Ｂが第１流下部８１に移流した場合（第２のパターン）は、上下動部材８０ａが上昇することに伴ってパチンコ球Ｂも上昇する。なお、上下動部材８０ａが上昇位置（正確にはその近傍を含む）に到達する前においては、ガイド面６１によって、パチンコ球Ｂが第１流下部８１に沿って流下することが阻止される。
そして、図８Ｃ，図５（Ｂ）に示すように、上下動部材８０ａが上昇位置（正確にはその近傍を含む）まで到達することによって、パチンコ球Ｂは、ガイド面６１を越えて、第１流下部８１に沿って流下し、第２ステージ部５５のうちの流出用流路部５６ａに落下する。
その後、図８Ｄに示すように、パチンコ球Ｂは、流出用流路部５６ａを流下し、流出用落下部５３を落下し、流出路４９からセンター役物３０の外部へ流出する（図４も参照）。
以上が第２のパターンである。
【００４１】
図９Ａ→図９Ｂ，図６に示すように、移流許容状態にある上下動部材８０ａにパチンコ球Ｂが移流した場合のうち、パチンコ球Ｂが第２流下部８２に移流した場合（第３のパターン）も、上下動部材８０ａが上昇することに伴ってパチンコ球Ｂも上昇する。なお、上下動部材８０ａが上昇位置（正確にはその近傍を含む）に到達する前においては、ガイド面６２によって、パチンコ球Ｂが第２流下部８２に沿って流下することが阻止される。
そして、図９Ｃ，図６（Ｂ）に示すように、上下動部材８０ａが上昇位置（正確にはその近傍を含む）まで到達することによって、パチンコ球Ｂは、ガイド面６２を越えて、第２流下部８２に沿って流下し、第２ステージ部５５のうちの移行部５８ａに落下する。
その後、パチンコ球Ｂは、移行部５８ａから、第１ステージ部４５（その左端部）に移行する。
以上が第３のパターンである。
そして、そのパチンコ球Ｂは、再度、上下動部材８０ａ，８０ｂの状態等に基づいて、上述の第１〜第３のいずれかのパターンで流れる。
【００４２】
以上のように、このパチンコ機（センター役物３０）では、パチンコ球Ｂが移流部４８ａ，４８ｂに至った時点における上下動部材８０ａ，８０ｂの状態及びパチンコ球Ｂの勢いによって異なるパターンで、そのパチンコ球Ｂがセンター役物３０内を転動する。
このように、このパチンコ機では、パチンコ球Ｂの流れに大きな多様性があり、遊技者に対して深い興趣を与えることができる。
【００４３】
なお、上記のものはあくまで本発明の一実施形態にすぎず、当業者の知識に基づいて種々の変更を加えた態様で本発明を実施できることはもちろんである。
【図面の簡単な説明】
【００４４】
【図１】本発明の一実施形態のパチンコ機の正面図である。
【図２】本発明の一実施形態のパチンコ機のセンター役物を示す図である。（ａ）は平面図であり、（ｂ）は正面図である。
【図３】本発明の一実施形態のパチンコ機のセンター役物を示す斜視図である。（Ａ）は各上下動部材が下降位置にある状態を示し、（Ｂ）は各上下動部材が上昇位置にある状態を示す。
【図４】本発明の一実施形態のパチンコ機のセンター役物の縦断面図である。
【図５】本発明の一実施形態のパチンコ機のセンター役物のうちの左側の上下動部材及びその近傍を示す拡大図である。パチンコ球が第１流下部上に位置する場合を示す。（Ａ）は上下動部材が下降位置にある状態を示し、（Ｂ）は上下動部材が上昇位置にある状態を示す。
【図６】本発明の一実施形態のパチンコ機のセンター役物のうちの左側の上下動部材及びその近傍を示す拡大図である。パチンコ球が第２流下部上に位置する場合を示す。（Ａ）は上下動部材が下降位置にある状態を示し、（Ｂ）は上下動部材が上昇位置にある状態を示す。
【図７Ａ】本発明の一実施形態のパチンコ機（センター役物）の作用を説明する図である。（ａ）は平面図であり、（ｂ）は正面図である（このことは、図７Ｂ〜図９Ｃにおいても同様である）。第１のパターンを示す（このことは図７Ｂにおいても同様である）。
【図７Ｂ】本発明の一実施形態のパチンコ機（センター役物）の作用を説明する図である。図７Ａの次の段階を示す。
【図８Ａ】本発明の一実施形態のパチンコ機（センター役物）の作用を説明する図である。第２のパターンを示す（このことは図８Ｂ〜図８Ｄにおいても同様である）。
【図８Ｂ】本発明の一実施形態のパチンコ機（センター役物）の作用を説明する図である。図８Ａの次の段階を示す。
【図８Ｃ】本発明の一実施形態のパチンコ機（センター役物）の作用を説明する図である。図８Ｂの次の段階を示す。
【図８Ｄ】本発明の一実施形態のパチンコ機（センター役物）の作用を説明する図である。図８Ｃの次の段階を示す。
【図９Ａ】本発明の一実施形態のパチンコ機（センター役物）の作用を説明する図である。第３のパターンを示す（このことは図９Ｂ〜図９Ｃにおいても同様である）。
【図９Ｂ】本発明の一実施形態のパチンコ機（センター役物）の作用を説明する図である。図９Ａの次の段階を示す。
【図９Ｃ】本発明の一実施形態のパチンコ機（センター役物）の作用を説明する図である。図９Ｂの次の段階を示す。
【符号の説明】
【００４５】
３０  センター役物（役物）
４５  第１ステージ部
４６  落下部
４８ａ，４８ｂ  移流部
４９  流出路
５５  第２ステージ部
５６ａ，５６ｂ  流出用流路部
５８ａ，５８ｂ  移行部
８０ａ，８０ｂ  上下動部材
８１  第１流下部
８２  第２流下部
Ｂ  パチンコ球（遊技球）
【図１】
2005131060.tif 000003
【図２】
2005131060.tif 000004
【図３】
2005131060.tif 000005
【図４】
2005131060.tif 000006
【図５】
2005131060.tif 000007
【図６】
2005131060.tif 000008
【図７Ａ】
2005131060.tif 000009
【図７Ｂ】
2005131060.tif 000010
【図８Ａ】
2005131060.tif 000011
【図８Ｂ】
2005131060.tif 000012
【図８Ｃ】
2005131060.tif 000013
【図８Ｄ】
2005131060.tif 000014
【図９Ａ】
2005131060.tif 000015
【図９Ｂ】
2005131060.tif 000016
【図９Ｃ】
2005131060.tif 000017